(57)【要約】【課題】仮想店舗において、購入する商品の大きさを相対的に知りたい。【解決手段】顧客端末とネットワークで接続可能とされ前記顧客端末から入力される商品購入に関する情報を管理するサーバにおいて、商品を特定する情報に対応して当該商品の商品画像と当該商品と大きさが異なる比較商品の商品画像とを記憶する画像記憶部と、前記顧客端末から前記ネットワークを介して入力された前記商品を特定する情報と画像比較情報を受け付ける受付手段と、前記受付手段が受け付けた前記商品を特定する情報と画像比較情報に基づいて、前記商品を特定する情報で特定される商品の商品画像と前記比較商品の比較商品画像とを並べて表示させるための表示制御情報を作成する作成手段と、前記作成手段によって作成された表示制御情報を前記ネットワークを介して前記顧客端末に出力する出力手段と、を備える。【選択図】図５
2014164333.tif 000002
【特許請求の範囲】
【請求項１】
顧客端末とネットワークで接続可能とされ前記顧客端末から入力される商品購入に関する情報を管理するサーバにおいて、
商品を特定する情報に対応して当該商品の商品画像と当該商品と大きさが異なる比較商品の商品画像とを記憶する画像記憶部と、
前記顧客端末から前記ネットワークを介して入力された前記商品を特定する情報と画像比較情報を受け付ける受付手段と、
前記受付手段が受け付けた前記商品を特定する情報と画像比較情報に基づいて、前記商品を特定する情報で特定される商品の商品画像と前記比較商品の比較商品画像とを並べて表示させるための表示制御情報を作成する作成手段と、
前記作成手段によって作成された表示制御情報を前記ネットワークを介して前記顧客端末に出力する出力手段と、
を備えたサーバ。
【請求項２】
前記画像記憶部は、前記比較商品画像として、比較する優先順位を付した複数種類の商品画像を記憶する、
請求項１に記載のサーバ。
【請求項３】
前記作成手段は、前記表示制御情報として、前記商品の価格と前記比較商品の価格を表示させる情報を作成する、
請求項１または２に記載のサーバ。
【請求項４】
前記作成手段は、前記表示制御情報として、商品の大きさを表すスケールを前記商品画像および前記比較商品画像に重ねて表示させる情報を含む情報を作成する、
請求項１ないし３のいずれか一に記載のサーバ。
【請求項５】
前記作成手段は、前記表示制御情報として、前記比較商品を購入可能とするキーを表示させる情報を含む情報を作成する、
請求項１ないし４のいずれか一に記載のサーバ。
【請求項６】
顧客端末とネットワークで接続可能とされ前記顧客端末から入力される商品購入に関する情報を管理するサーバとして機能し、商品を特定する情報に対応して当該商品の商品画像と当該商品と大きさが異なる比較商品の商品画像とを記憶する画像記憶部を有するコンピュータに、
前記顧客端末から前記ネットワークを介して入力された前記商品を特定する情報と画像比較情報を受け付ける受付手段と、
前記受付手段が受け付けた前記商品を特定する情報と画像比較情報に基づいて、前記商品を特定する情報で特定される商品の商品画像と前記比較商品の比較商品画像とを並べて表示させるための表示制御情報を作成する作成手段と、
前記作成手段によって作成された表示制御情報を前記ネットワークを介して前記顧客端末に出力する出力手段と、
を実現させるためのプログラム。
【発明の詳細な説明】
【技術分野】
【０００１】
本発明の実施の形態は、サーバおよびプログラムに関する。
【背景技術】
【０００２】
近年のネットワークの普及により、インターネットを介して商品の販売を行う販売方式（ＥＣ：Electronic  Commerce）が盛んに行われている。また、スーパーマーケット等の店舗においても、店舗内で販売している商品をインターネットを介して販売する、所謂ネットスーパーと呼ばれる販売方式が行われている。ネットスーパーでは、インターネットを通じて顧客から商品購入の注文を受け付けると、当該店舗では該当する商品を店舗内から収集して各顧客の自宅に配達されるよう運用されている。
【０００３】
この顧客がネットスーパーで買い物をするには、一般的には自宅にあるＰＣ（Personal  Computer）や携帯電話等の顧客端末からインターネットを介してネットスーパーのサイトにアクセスして、顧客自身で商品の注文をし、店舗は注文された商品を即日あるいは後日自宅に配達するというシステムとなっている。
【０００４】
顧客は、顧客端末の画面に表示される商品を見て、顧客端末を操作して希望の商品を選択して注文を行う。
【発明の概要】
【発明が解決しようとする課題】
【０００５】
しかしながら、顧客端末にはサイズが大きな商品とサイズが小さな商品とが、同じような大きさで表示される。そのため顧客は、顧客端末において商品を選択する場合、選択した商品が他の同種の商品と比較して大きいのか小さいのか、どのくらい大きさに差異があるかが分からず、商品が届いて初めて意図していたサイズの商品と異なることが分かる場合がある。
【課題を解決するための手段】
【０００６】
実施の形態のサーバは、顧客端末とネットワークで接続可能とされ前記顧客端末から入力される商品購入に関する情報を管理するサーバにおいて、商品を特定する情報に対応して当該商品の商品画像と当該商品と大きさが異なる比較商品の商品画像とを記憶する画像記憶部と、前記顧客端末から前記ネットワークを介して入力された前記商品を特定する情報と画像比較情報を受け付ける受付手段と、前記受付手段が受け付けた前記商品を特定する情報と画像比較情報に基づいて、前記商品を特定する情報で特定される商品の商品画像と前記比較商品の比較商品画像とを並べて表示させるための表示制御情報を作成する作成手段と、前記作成手段によって作成された表示制御情報を前記ネットワークを介して前記顧客端末に出力する出力手段と、を備える。
【０００７】
また、実施の形態のプログラムは、顧客端末とネットワークで接続可能とされ前記顧客端末から入力される商品購入に関する情報を管理するサーバとして機能し、商品を特定する情報に対応して当該商品の商品画像と当該商品と大きさが異なる比較商品の商品画像とを記憶する画像記憶部を有するコンピュータに、前記顧客端末から前記ネットワークを介して入力された前記商品を特定する情報と画像比較情報を受け付ける受付手段と、
前記受付手段が受け付けた前記商品を特定する情報と画像比較情報に基づいて、前記商品を特定する情報で特定される商品の商品画像と前記比較商品の比較商品画像とを並べて表示させるための表示制御情報を作成する作成手段と、前記作成手段によって作成された表示制御情報を前記ネットワークを介して前記顧客端末に出力する出力手段と、を実現させる。
【図面の簡単な説明】
【０００８】
【図１】図１は、本実施の形態のシステム全体を示す図である。
【図２】図２は、ネットスーパーサーバのブロック図である。
【図３】図３は、ネットスーパーサーバの商品マスタを示す図である。
【図４】図４は、ネットスーパーサーバの機能構成を示す機能ブロック図である。
【図５】図５は、ネットスーパーサーバの処理の流れを示すフローチャートである。
【図６】図６は、顧客端末の表示画面を示す図である。
【図７】図７は、ネットスーパーサーバの処理の流れを示すフローチャートである。
【図８】図８は、顧客端末の表示画面を示す図である。
【図９】図９は、ネットスーパーサーバの処理の流れを示すフローチャートである。
【図１０】図１０は、顧客端末の表示画面を示す図である。
【発明を実施するための形態】
【０００９】
以下、添付図面を参照して、実施の形態に係るサーバおよびプログラムを詳細に説明する。なお、以下に説明する実施の形態によりこの発明が限定されるものではない。
【００１０】
図１は、本実施の形態のシステム全体１を示す図である。図１において、店舗システム２と本部システム３とは専用回線４で接続されている。また、店舗システム２はネットワーク回線７を介してサーバであるネットスーパーシステム５と接続されている。またネットスーパーシステム５は、ネットワーク回線７を介して顧客端末６（例えばパーソナルコンピュータ６ａや携帯電話６ｂ）と接続されている。顧客端末６は、情報を表示する表示部６１を備えている。
【００１１】
本部に設けられる本部システム３は、本部サーバ２０を備えている。本部サーバ２０は、顧客情報（例えば顧客の氏名、年齢、住所、性別、誕生日、購入履歴、累計ポイント数、顧客ランク、等）を顧客毎に管理する顧客マスタ（図示せず）や、各店舗毎の商品情報を記憶する商品マスタ（図示せず）を有している。本部サーバ２０は、専用回線４を介して顧客マスタの顧客情報や商品マスタの商品情報を各店舗の店舗サーバ１１に送信する。
【００１２】
店舗に設けられた店舗システム２には、主に、店舗サーバ１１、複数台のＰＯＳ（Point  Of  Sales：販売時点管理）端末１２、ネットスーパー管理サーバ１４が設けられており、相互にＬＡＮ（Local  Area  Network）回線１５を介して接続されている。
【００１３】
ＰＯＳ端末１２は、店舗で販売された商品のデータ処理を実行し、店舗サーバ１１は、ＰＯＳ端末１２で処理したデータを収集し、本部サーバ２０からの情報やコマンドをＰＯＳ端末１２やネットスーパーサーバ１８に送信する。ネットスーパー管理サーバ１４は、ネットスーパーサーバ１８から送信された商品購入情報に基づき、ネットスーパーで購入された商品の取り揃え（ピッキング）や商品の箱詰め（パッキング）作業のデータ処理を実行する。商品の箱詰めは、ハンディターミナル１６で商品情報を入力して実行し、入力された商品情報はアンテナ１３を介してネットスーパー管理サーバ１４に送信される。ネットスーパー管理サーバ１４は、商品の箱詰めが終了すると、プリンタ１７に配送伝票のデータを出力し、プリンタ１７は配送伝票を印字する。
【００１４】
ネットスーパーシステム５は、ネットスーパーサーバ１８を備えている。ネットスーパーサーバ１８は、ネットワーク回線７と接続するウェブサーバ、顧客マスタを含む顧客データベースや商品マスタを含む商品データベース等を記憶するデータベースサーバ、バッチ処理を実行するバッチサーバ、クーポンやポイント等を管理する管理サーバ、顧客に対してメールの配信を実行するメールサーバから構成される。ネットスーパーサーバ１８は、各店舗の店舗システム２や顧客端末６とネットワーク回線７を介して通信可能に接続されている。ネットスーパーサーバ１８は、顧客の情報、ネットスーパーで販売する商品の情報等を記憶しており、顧客端末６からのアクセスがあると商品情報を顧客端末６に送信し、顧客端末６からの商品購入を受け付ける。受け付けた商品購入情報を店舗システム２のネットスーパー管理サーバ１４に送信する。
【００１５】
図２はネットスーパーサーバ１８のブロック図である。図２に示すように、ネットスーパーサーバ１８は、制御主体となるＣＰＵ（Central  Processing  Unit）２１、各種プログラムを記憶するＲＯＭ（Read  Only  Memory）２２、各種データを展開するＲＡＭ（Random  Access  Memory）２３、各種プログラムを記憶するＨＤＤ等のメモリ部２４等を備えている。ＣＰＵ２１、ＲＯＭ２２、ＲＡＭ２３、メモリ部２４は、互いにデータバス２５を介して接続されている。ＣＰＵ２１とＲＯＭ２２とＲＡＭ２３とメモリ部２４が、制御部１００を構成する。すなわち、制御部１００は、ＣＰＵ２１がＲＯＭ２２やメモリ部２４に記憶されＲＡＭ２３に展開されたプログラムに従って動作することによって、後述する制御処理を実行する。ＲＡＭ２３は、各種情報も記憶する。
【００１６】
また、データバス２５には、キーボード２６と表示部２７がコントローラ２８を介して接続されている。また、データバス２５には、ネットワークＩ／Ｆ（Interface）２９が接続されている。このネットワークＩ／Ｆ２９は、ネットスーパーサーバ１８からネットワーク回線７を介して情報やコマンドを送信し、また顧客端末６やネットスーパー管理サーバ１４からの情報やコマンドを受信する。
【００１７】
図３は、ネットスーパーサーバ１８のメモリ部２４に記憶された商品マスタ７１を示す図である。商品マスタ７１は、ネットスーパーで販売される商品の商品情報を、商品を特定する商品コードに対応して記憶する。図３において、商品コード部３１は、ネットスーパーで販売する商品を特定する商品コードを記憶する。商品名部３２は、商品コード部３１に記憶された商品コードの商品の商品名を記憶する。価格部３３は、商品コード部３１に記憶された商品コードの商品の価格を記憶する。商品画像部３４は、商品コード部３１に記憶された商品コードの商品の画像を記憶する。基本画像部３５は、商品コード部３１に記憶された商品コードの商品とサイズが異なる比較商品である、基本商品の商品画像を記憶する。基本画像部３５に記憶された基本商品の画像サイズと、商品画像部３４に記憶れた商品の画像のサイズとは、商品の実サイズに比例して異なっている。他の画像部３６は、商品コード部３１に記憶された商品コードの商品と大きさが異なるサイズの比較商品である、基本商品以外の商品である他の商品の画像を記憶する。他の画像部３６に記憶された他の商品の画像サイズと、商品画像部３４に記憶された商品の画像のサイズとは、商品の実サイズに比例して異なっている。他の画像部３６に記憶された他の商品の画像サイズは、基本画像部３５に記憶された基本商品の画像のサイズとも異なっている。
【００１８】
基本商品とは、商品の中で最も売れており、多くの人が容器のサイズを知っている代表的な商品をいう。他の商品とは商品の中で基本商品とは異なる商品をいう。本実施の形態の場合、ある飲料水のペットボトルの商品が、同じメーカーの同じ商品（商品名：ＡＡ）であるが、大きさが異なる「ＡＡ（小）」「ＡＡ（中）」「ＡＡ（大）」の３種類存在する。そのうち、内容量が５００ミリリットルの「ＡＡ（中）」が最も売れ筋の代表的な商品である。この場合、商品コード「１１１３」の商品「ＡＡ（大）」に対して、基本商品は「ＡＡ（中）」であり、他の商品は「ＡＡ（小）」である。そして、選択された商品「ＡＡ（大）」に対して、基本画像部３５に記憶されている基本画像が優先的に比較される。また、後述する操作がされたときに、基本画像ではなく他の画像部３６に記憶された他の画像と比較される。なお、他の画像部３６に複数の画像が存在する場合は、その中でさらに比較する優先順位を決める。
【００１９】
図４は、ネットスーパーサーバ１８の機能構成を示す機能ブロック図である。ネットスーパーサーバ１８は、制御部１００がＲＯＭ２２やメモリ部２４に記憶された各種プログラムに従い動作することで、受付手段１０１、作成手段１０２、出力手段１０３を実現する。
【００２０】
受付手段１０１は、顧客端末６からネットワーク７を介して入力された商品コードと選択信号を受け付ける機能を有する。
【００２１】
作成手段１０２は、受付手段１０１が受け付けた商品コードと選択信号に基づいて、商品コードで特定される商品の商品画像と比較商品の比較商品画像とを、顧客端末６に並べて表示させるための表示制御情報を作成する機能を有する。
【００２２】
出力手段１０３は、作成手段１０２によって作成された表示制御情報をネットワーク７を介して前記顧客端末６に送信する機能を有する。
【００２３】
図５は、ネットスーパーサーバ１８における制御部１００の制御処理の流れを示すフローチャートである。図５において、制御部１００は、ネットワーク７を介して、ネットスーパーで販売する商品のメニュー画面を顧客端末６に送信する（ステップＳＰ１１）。そして顧客が顧客端末６を操作して一つの商品を選択すると、顧客端末６は、選択された商品の商品コードと、選択されたことを示す選択信号を、ネットワーク７を介してネットスーパーサーバ１８に送信する。本実施の形態では、顧客が商品「ＡＡ（大）」を選択した状態について説明する。制御部１００（受付手段１０１）は、顧客が選択した商品の商品コードと選択信号を顧客端末６から受信したか否かを判断する（ステップＳＰ１２）。受信したと判断した場合は（ステップＳＰ１２のＹｅｓ）、制御部１００は、受信した商品コードに該当する商品の画面情報を、ネットワーク７を介して顧客端末６に送信する（ステップＳＰ１３）。顧客端末６は、商品の画面情報を受信すると、表示部６１に商品の画面情報を表示する。
【００２４】
図６は、顧客端末６の表示部６１に表示される、顧客が選択した商品の画面情報の一例を示す図である。図６において、商品情報表示部４１には、商品の画像４２、商品名称４３、内容量４４、商品の価格４５が表示される。また、商品購入キー４６とサイズ比較キー４７が表示される。商品の画像４２は、ステップＳＰ１２で受信した商品コードの商品の画像である。商品名称４３は、当該商品の商品名称である。内容量４４は、当該商品の内容量あるいは重量である。商品の価格４５は当該商品の販売価格である。
【００２５】
また、商品購入キー４６は、当該商品を購入する際に操作するキーである。商品購入キー４６を操作すると、商品購入信号がネットスーパーサーバ１８に送信される。サイズ比較キー４７は、当該商品のサイズを当該商品とサイズが異なる他の同一商品と比較して表示部６１に表示させるためのキーである。サイズ比較キー４７を操作すると、画面サイズ信号がネットスーパーサーバ１８に送信される。
【００２６】
図５の説明に戻る。制御部１００は、商品購入信号を顧客端末６から受信したか否かを判断する（ステップＳＰ１４）。受信したと判断した場合は（ステップＳＰ１４のＹｅｓ）、制御部１００は、ＲＡＭ２３の商品購入エリアに当該商品の情報を記憶する（ステップＳＰ１５）。また、商品購入信号を受信していないと判断した場合は（ステップＳＰ１４のＮｏ）、制御部１００は次に、画面サイズ信号を顧客端末６から受信したか否かを判断する（ステップＳＰ２１）。受信していないと判断した場合は（ステップＳＰ２１のＮｏ）、制御部１００はステップＳＰ１４に戻る。受信したと判断した場合は（ステップＳＰ２１のＹｅｓ）、図７に示す表示制御情報の作成・送信処理を実行する（ステップＳＰ２２）。
【００２７】
図７を用いて、ステップＳＰ２２について詳細に説明する。図７において、制御部１００は、ステップＳＰ１２で顧客端末６から受信した商品コードの商品の商品画像情報を商品画像部３４から取得する（ステップＳＰ４１）。次に制御部１００は、顧客端末６から受信した商品コードに対応して基本画像部３５に記憶された基本画像情報を取得する（ステップＳＰ４２）。そして制御部１００（作成手段１０２）は、取得した商品画像情報と基本画像情報等とに基づいて、表示制御情報を作成する（ステップＳＰ４３）。表示制御情報は、商品画像情報と基本画像情報とを並べて表示させ、両画像のサイズを比較するための情報である。表示制御情報は、当該商品と比較商品の、商品名の情報、内容量の情報、価格の情報等を含む。表示制御情報は、後述するスケール５４とスケール６４を表示させる情報を含む。次に制御部１００（出力手段１０３）は、作成した表示制御情報を顧客端末６に表示させるために、顧客端末６に送信する（ステップＳＰ４４）。顧客端末６は、受信した表示制御情報を表示部６１に表示する。
【００２８】
図８は、顧客端末６の表示部６１に表示される表示制御情報の一例を示す図である。図８において、表示部６１は、選択商品表示部５１に、選択商品情報を表示する商品情報５２、選択商品の商品画像５３、スケール５４、を表示する。商品情報５２は、「選択商品」であること、選択商品の商品名称や内容量や価格である。商品画像５３は、選択商品の画像である。本実施の形態では、商品「ＡＡ（大）」のペットボトルの画像が表示される。スケール５４は、一定間隔で縦横に表示され、商品のサイズの指標となる直線である。スケール５４は、目盛５５とともに、選択商品表示部５１に商品画像５３に重ねて表示される。
【００２９】
また、比較商品表示部８５に、比較商品である基本商品の情報を表示する商品情報６２、基本商品の商品画像６３、スケール６４、を表示する。商品情報６２は、基本商品の商品名称や内容量や価格である。商品画像６３は、基本商品の画像である。本実施の形態では、商品「ＡＡ（中）」のペットボトルの画像が表示される。スケール６４は、一定間隔で縦横に表示され、商品のサイズの指標となる直線である。スケール６４は、目盛６５とともに、比較商品表示部８５に基本画像６３に重ねて表示される。
【００３０】
表示部６１には、購入しようとしている選択商品の画像と基本商品の画像とが並んで表示される。顧客は、表示部６１に表示された選択商品と基本商品のサイズを、比較できる。このため、選択商品と基本商品との相対的な大きさの違いを知ることができる。また、スケール５４、スケール６４、目盛５５、目盛６５が表示され、かつ、スケール５４とスケール６４が各商品に重なって表示されるため、商品の実際のサイズを知ることができる。
【００３１】
また、表示制御情報には、商品購入キー７１、比較商品選択キー７２、他の商品との比較キー７３の情報が含まれており、表示部６１は、商品購入キー７１、比較商品選択キー７２、他の商品との比較キー７３を表示する。商品購入キー７１は、選択商品表示部５１に表示された選択商品を購入する場合に操作する。商品購入キー７１を操作すると、商品購入信号をネットスーパーサーバ１８に送信する。比較商品選択キー７２は、比較商品表示部８５に表示されている基本商品の商品情報を見たい場合に操作する。比較商品選択キー７２を操作すると、顧客端末６は、比較商品選択信号をネットスーパーサーバ１８に送信する。他の商品との比較キー７３は、比較商品表示部８５に表示されている基本商品を他の商品の表示に変更したい場合に操作する。他の商品との比較キー７３を操作すると、後述するように、基本商品の画像を他の商品の画像に変更する。他の商品との比較キー７３を操作すると、他の商品信号をネットスーパーサーバ１８に送信する。
【００３２】
このように制御部１００が制御するため、顧客は、選択商品ではなく基本商品を購入したい場合は、顧客が比較商品選択キー７２を操作することで、基本商品の選択画面が表示され、以降、基本商品を購入する処理を実行することが可能となる。
【００３３】
図５の説明に戻る。制御部１００は、商品購入信号を受信したか否かを判断する（ステップＳＰ２３）。受信したと判断した場合は（ステップＳＰ２３のＹｅｓ）、制御部１００は、ステップＳＰ１５に戻る。受信していないと判断した場合は（ステップＳＰ２３のＮｏ）、制御部１００は、比較商品選択信号を受信したか否かを判断する（ステップＳＰ２４）。受信したと判断した場合は（ステップＳＰ２４のＹｅｓ）、制御部１００は、ステップＳＰ１３に戻って、基本商品に係る商品の選択画像情報を顧客端末６に送信する。
【００３４】
顧客端末６は、送信された基本商品の選択画像情報に基づいて、基本商品に係る図６と同様の画面を表示する。顧客は、表示された基本商品を購入する場合は商品購入キー４６を操作する。すると、顧客端末６は選択信号をネットスーパーサーバ１８に送信する。ネットスーパーサーバ１８の制御部１００は、ステップＳＰ１４を判断し、ステップＳＰ１５の処理を実行する。また、基本商品と他の商品と比較する場合は、顧客は、サイズ比較キー４７を操作する。すると、顧客端末６は画面サイズ信号をネットスーパーサーバ１８に送信する。ネットスーパーサーバ１８の制御部１００は、ステップＳＰ２１を判断し、ステップＳＰ２２の処理を実行する。この場合、ステップＳＰ２２の処理において、制御部１００は、基本商品の商品画像と、他の画像部３６に記憶されている優先順位が最も高い商品の商品画像と比較して、表示制御情報を作成する。
【００３５】
また、比較商品選択信号を受信していないと判断した場合は（ステップＳＰ２４のＮｏ）、制御部１００は、他の商品信号を受信したか否かを判断する（ステップＳＰ２５）。受信したと判断した場合は（ステップＳＰ２５のＹｅｓ）、制御部１００は、図９で示す他の画面情報の作成処理を実行する（ステップＳＰ２６）。
【００３６】
図９は、表示制御情報の作成・送信処理に関し、制御部１００の制御処理の流れを示すフローチャートである。図９において、制御部１００は、受信した商品コードに対応して他の画像部３６に記憶された他の画像情報を取得する（ステップＳＰ５１）。そして制御部１００（作成手段１０２）は、ステップＳＰ２２で作成した表示制御情報において、取得した他の画像情報を基本画像情報と置き換えた表示制御情報を作成する（ステップＳＰ５２）。すなわち、基本商品の情報を表示する商品情報６２を、他の商品の情報を表示する商品情報８１に置き換える（図１０参照）。また、基本商品の商品画像６３を他の商品の商品画像８２に置き換える（図１０参照）。そして制御部１００（出力手段１０３）は、作成した表示制御情報を顧客端末６に送信する（ステップＳＰ５３）。顧客端末６は、受信した表示制御情報を表示部６１に表示する。
【００３７】
図１０は、表示部６１が表示する、ステップＳＰ５２で作成された表示制御情報の一例である。図１０において、比較商品表示部８５には、基本商品の情報を表示する商品情報６２に代わって他の商品情報８１が表示される。また、基本商品の商品画像６３に代わってその他の商品画像８２が表示される。その後、制御部１００はステップＳＰ２３に戻る処理を実行する。なお、他の商品信号を受信したのではないと判断した場合は（ステップＳＰ２５のＮｏ）、制御部１００はステップＳＰ２３に戻る処理を実行する。
【００３８】
このように、顧客が、選択商品を基本商品以外の商品と比較したい場合は、顧客が他の商品との比較キー７３を操作することで、他の商品と比較することが可能となる。
【００３９】
また、制御部１００は、選択信号を受信していないと判断した場合は（ステップＳＰ１２のＮｏ）、制御部１００は、会計信号を受信したか否かを判断する（ステップＳＰ３１）。会計信号は、顧客端末６での顧客の会計処理の終了操作に応じて、顧客端末６からネットスーパーサーバ１８に送信される。会計信号を受信したと判断した場合は（ステップＳＰ３１のＹｅｓ）、制御部１００は、会計処理を実行する（ステップＳＰ３２）。会計信号を受信していないと判断した場合は（ステップＳＰ３１のＮｏ）、制御部１００はステップＳＰ１２に戻る処理を実行する。
【００４０】
このような本実施の形態では、購入しようとする商品のサイズを比較商品のサイズと比較することができるため、意図しない大きさの商品を購入することがなくなる。
【００４１】
また、本実施の形態では、比較する商品に優先順位を付けたため、比較する商品を順番に比較させることができる。
【００４２】
また、本実施の形態によれば、商品の画像とともに、内容量や価格も表示して比較するようにさせるため、商品のサイズ以外の比較も可能である。
【００４３】
また、本実施の形態によれば、商品の比較画面にスケールを表示させるようにしたため、商品の絶対的なサイズを知ることができる。
【００４４】
なお、本実施の形態は、例として提示したものであり、発明の範囲を限定することは意図していない。この新規な実施の形態は、その他の様々な形態で実施されることが可能であり、発明の要旨を逸脱しない範囲で、種々の省略、置き換え、変更を行うことができる。この実施の形態やその変形は、発明の範囲や要旨に含まれるとともに、特許請求の範囲に記載された発明とその均等の範囲に含まれる。
【００４５】
例えば、本実施の形態では、選択商品と、比較する商品としての基本商品とを比較するようにしたが、選択商品によっては比較する商品を基本商品でなくしてもよい。
【００４６】
また、本実施の形態では、スケールを画面に表示させるようにしたが、スケールの表示は必ずしも必要ではない。また、スケールは商品と重ねて表示しなくてもよい。
【００４７】
また、購入商品を選択商品から基本商品等の他の商品に変更する場合、変更された購入商品の比較画面をいきなり表示するようにしてもよい。
【００４８】
なお、本実施の形態のサーバで実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００４９】
また、本実施の形態のサーバで実行されるプログラムを、インターネット等のネットワークに接続されたコンピュータ上に格納し、ネットワーク経由でダウンロードさせることにより提供するように構成してもよい。また、本実施の形態のサーバで実行されるプログラムをインターネット等のネットワーク経由で提供または配布するように構成してもよい。
【００５０】
また、本実施の形態のサーバで実行されるプログラムを、ＲＯＭ等に予め組み込んで提供するように構成してもよい。
【符号の説明】
【００５１】
１００  制御部
１０１  受付手段
１０２  作成手段
１０３  出力手段
【先行技術文献】
【特許文献】
【００５２】
【特許文献１】特開平９−６９４４号公報
【図１】
2014164333.tif 000003
【図２】
2014164333.tif 000004
【図３】
2014164333.tif 000005
【図４】
2014164333.tif 000006
【図５】
2014164333.tif 000007
【図６】
2014164333.tif 000008
【図７】
2014164333.tif 000009
【図８】
2014164333.tif 000010
【図９】
2014164333.tif 000011
【図１０】
2014164333.tif 000012